(57)【要約】【課題】連続でＣＥＣメッセージを受信した時、通信間隔に自機の処理が間に合わなくなりＣＥＣメッセージ用受信用バッファが全て使用中となり自機がＣＥＣメッセージ受信不能状態となった場合に発生するＡＣＫ応答が無い場合の通信エラーを無くすことで再送が何度も発生しないようにする。【解決手段】  自機通信状態監視ブロック１０２によりＣＥＣメッセージ受信用バッファ１１０が全て使用中である自機のＣＥＣメッセージ受信不能状態が検知された時に、ＣＥＣ制御ブロック１０１がメッセージ生成ブロック１０３、メッセージ送信ブロック１０５およびＣＥＣ信号入出力ブロック１０７を介してＣＥＣメッセージ送信停止要求メッセージを送出することにより、他の機器からのＣＥＣメッセージ送信を一時停止させる。【選択図】図１
2009055319.tif 000002
【特許請求の範囲】
【請求項１】
ＣＥＣ(Consumer Electronics Control)メッセージ受信用バッファを有し、ＣＥＣメッセージの送信要求と受信したＣＥＣメッセージの自機が含まれる映像音響装置内のシステム制御ブロックへの通知とを行うＣＥＣ制御ブロックと、
前記ＣＥＣ制御ブロックからの送信要求にしたがってＣＥＣメッセージを生成するメッセージ生成ブロックと、
前記メッセージ生成ブロックで生成されたＣＥＣメッセージを送信するメッセージ送信ブロックと、
前記メッセージ送信ブロックから送信されたＣＥＣメッセージを他の機器へＣＥＣの信号として送り出すとともに、前記他の機器からＣＥＣの信号を受け取るＣＥＣ信号入出力ブロックと、
前記ＣＥＣ信号入出力ブロックによって受け取られたＣＥＣの信号をＣＥＣメッセージとして受信するメッセージ受信ブロックと、
前記メッセージ受信ブロックにより受信したＣＥＣメッセージを解釈して前記ＣＥＣメッセージ受信用バッファへ送るメッセージデコードブロックと、
前記ＣＥＣメッセージ受信用バッファが全て使用中であるかを監視する自機通信状態監視ブロックを備え、
前記自機通信状態監視ブロックにより前記ＣＥＣメッセージ受信用バッファが全て使用中である自機のＣＥＣメッセージ受信不能状態が検知された時に、前記ＣＥＣ制御ブロックが前記メッセージ生成ブロック、前記メッセージ送信ブロックおよび前記ＣＥＣ信号入出力ブロックを介して特定のＣＥＣメッセージを送出することにより、他の機器からのＣＥＣメッセージ送信を一時停止させることを特徴とするＣＥＣ送受信装置。
【請求項２】
前記自機通信状態監視ブロックにより自機の受信不能状態が検知された時に、前記ＣＥＣ制御ブロックが前記他の機器へ前記特定のＣＥＣメッセージとして、送信一時停止要求メッセージを通知することにより前記他の機器からの送信を一時停止させることを特徴とする請求項１に記載のＣＥＣ送受信装置。
【請求項３】
前記自機通信状態監視ブロックにより自機の受信不能状態を検知した時に、前記ＣＥＣ制御ブロックが前記他の機器へ前記特定のＣＥＣメッセージとして、自機と前記他の機器が接続されたＣＥＣ通信ライン上の各機器の状態が変化しないメッセージを送信することにより前記ＣＥＣ通信ラインを占有して前記他の機器のＣＥＣメッセージ送信を一時停止させることを特徴とする請求項１に記載のＣＥＣ送受信装置。
【請求項４】
ＣＥＣメッセージ受信用バッファを有し、ＣＥＣメッセージの送信要求と受信したＣＥＣメッセージの自機が含まれる映像音響装置内のシステム制御ブロックへの通知とを行うＣＥＣ制御ブロックと、
前記ＣＥＣ制御ブロックからの送信要求にしたがってＣＥＣメッセージを生成するメッセージ生成ブロックと、
前記メッセージ生成ブロックで生成されたＣＥＣメッセージを送信するメッセージ送信ブロックと、
前記メッセージ送信ブロックから送信されたＣＥＣメッセージを他の機器へＣＥＣの信号として送り出すとともに、前記他の機器からＣＥＣの信号を受け取るＣＥＣ信号入出力ブロックと、
前記ＣＥＣ信号入出力ブロックによって受け取られたＣＥＣの信号をＣＥＣメッセージとして受信するメッセージ受信ブロックと、
前記メッセージ受信ブロックにより受信したＣＥＣメッセージを解釈して前記ＣＥＣメッセージ受信用バッファへ送るメッセージデコードブロックと、
自機と前記他の機器が接続されたＣＥＣ通信ラインの通信状態を監視して前記ＣＥＣ通信ラインの通信の状態の変化を検知し、ＣＥＣ通信開始時と前記ＣＥＣ通信ラインの通信の状態の変化の検知時に、前記ＣＥＣ制御ブロックに対してＣＥＣメッセージ通信間隔通知メッセージ送信要求を行うＣＥＣ通信ライン監視ブロックと、
前記他の機器より通知された通信間隔を記憶する通信間隔記憶ブロックと、
前記通信間隔記憶ブロックに記憶された通信間隔と自機が使用している通信間隔とを比較する通信間隔比較ブロックと、
前記通信間隔比較ブロックによる比較結果をもとに、長い方の通信間隔を前記ＣＥＣ制御ブロックへ通知する通信間隔通知ブロックを備え、
前記ＣＥＣ制御ブロックが前記ＣＥＣ通信ライン監視ブロックからのＣＥＣメッセージ通信間隔通知メッセージ送信要求に応答して前記メッセージ生成ブロック、前記メッセージ送信ブロックおよび前記ＣＥＣ信号入出力ブロックを介して前記他の機器へＣＥＣメッセージ通信間隔通知メッセージを通知することにより前記ＣＥＣ通信ライン上の各機器が、ＣＥＣ通信ライン上で通信間隔が一番長く必要とされる機器の通信間隔に合わせて通信することを特徴とするＣＥＣ送受信装置。
【請求項５】
ＣＥＣ送受信装置と、前記ＣＥＣ送受信装置から出力信号を受け取るシステム制御ブロックとを備え、
前記ＣＥＣ送受信装置が、
ＣＥＣメッセージ受信用バッファを有し、ＣＥＣメッセージの送信要求と受信したＣＥＣメッセージの自機が含まれる前記システム制御ブロックへの通知を行うＣＥＣ制御ブロックと、
前記ＣＥＣ制御ブロックからの送信要求にしたがってＣＥＣメッセージを生成するメッセージ生成ブロックと、
前記メッセージ生成ブロックで生成されたＣＥＣメッセージを送信するメッセージ送信ブロックと、
前記メッセージ送信ブロックから送信されたＣＥＣメッセージを他の機器へＣＥＣの信号として送り出すとともに、前記他の機器からＣＥＣの信号を受け取るＣＥＣ信号入出力ブロックと、
前記ＣＥＣ信号入出力ブロックによって受け取られたＣＥＣの信号をＣＥＣメッセージとして受信するメッセージ受信ブロックと、
前記メッセージ受信ブロックにより受信したＣＥＣメッセージを解釈して前記ＣＥＣメッセージ受信用バッファへ送るメッセージデコードブロックと、
前記ＣＥＣメッセージ受信用バッファが全て使用中であるかを監視する自機通信状態監視ブロックとを備え、
前記自機通信状態監視ブロックにより前記ＣＥＣメッセージ受信用バッファが全て使用中である自機のＣＥＣメッセージ受信不能状態が検知された時に、前記ＣＥＣ制御ブロックが前記メッセージ生成ブロック、前記メッセージ送信ブロックおよび前記ＣＥＣ信号入出力ブロックを介して特定のＣＥＣメッセージを送出することにより、他の機器からのＣＥＣメッセージ送信を一時停止させることを特徴とする映像音響装置。
【請求項６】
前記自機通信状態監視ブロックにより自機の受信不能状態が検知された時に、前記ＣＥＣ制御ブロックが前記他の機器へ前記特定のＣＥＣメッセージとして、送信一時停止要求メッセージを通知することにより前記他の機器からの送信を一時停止させることを特徴とする請求項５に記載の映像音響装置。
【請求項７】
前記自機通信状態監視ブロックにより自機の受信不能状態を検知した時に、前記ＣＥＣ制御ブロックが前記他の機器へ前記特定のＣＥＣメッセージとして、自機と前記他の機器が接続されたＣＥＣ通信ライン上の各機器の状態が変化しないメッセージを送信することにより前記ＣＥＣ通信ラインを占有して前記他の機器のＣＥＣメッセージ送信を一時停止させることを特徴とする請求項５に記載の映像音響装置。
【請求項８】
ＣＥＣ送受信装置と、前記ＣＥＣ送受信装置から出力信号を受け取るシステム制御ブロックとを備え、
前記ＣＥＣ送受信装置が、
ＣＥＣメッセージ受信用バッファを有し、ＣＥＣメッセージの送信要求と受信したＣＥＣメッセージの自機が含まれる前記システム制御ブロックへの通知とを行うＣＥＣ制御ブロックと、
前記ＣＥＣ制御ブロックからの送信要求にしたがってＣＥＣメッセージを生成するメッセージ生成ブロックと、
前記メッセージ生成ブロックで生成されたＣＥＣメッセージを送信するメッセージ送信ブロックと、
前記メッセージ送信ブロックから送信されたＣＥＣメッセージを他の機器へＣＥＣの信号として送り出すとともに、前記他の機器からＣＥＣの信号を受け取るＣＥＣ信号入出力ブロックと、
前記ＣＥＣ信号入出力ブロックによって受け取られたＣＥＣの信号をＣＥＣメッセージとして受信するメッセージ受信ブロックと、
前記メッセージ受信ブロックにより受信したＣＥＣメッセージを解釈して前記ＣＥＣメッセージ受信用バッファへ送るメッセージデコードブロックと、
自機と前記他の機器が接続されたＣＥＣ通信ラインの通信状態を監視して前記ＣＥＣ通信ラインの通信の状態の変化を検知し、ＣＥＣ通信開始時と前記ＣＥＣ通信ラインの通信の状態の変化の検知時に、前記ＣＥＣ制御ブロックに対してＣＥＣメッセージ通信間隔通知メッセージ送信要求を行うＣＥＣ通信ライン監視ブロックと、
前記他の機器より通知された通信間隔を記憶する通信間隔記憶ブロックと、
前記通信間隔記憶ブロックに記憶された通信間隔と自機が使用している通信間隔とを比較する通信間隔比較ブロックと、
前記通信間隔比較ブロックによる比較結果をもとに、長い方の通信間隔を前記ＣＥＣ制御ブロックへ通知する通信間隔通知ブロックを備え、
前記ＣＥＣ制御ブロックが前記ＣＥＣ通信ライン監視ブロックからのＣＥＣメッセージ通信間隔通知メッセージ送信要求に応答して前記メッセージ生成ブロック、前記メッセージ送信ブロックおよび前記ＣＥＣ信号入出力ブロックを介して前記他の機器へＣＥＣメッセージ通信間隔通知メッセージを通知することにより前記ＣＥＣ通信ライン上の各機器が、ＣＥＣ通信ライン上で通信間隔が一番長く必要とされる機器の通信間隔に合わせて通信することを特徴とする映像音響装置。
【発明の詳細な説明】
【技術分野】
【０００１】
本発明は、ＨＤＭＩ（High-Definition Multimedia Interface）規格で規格化されている機器制御信号・制御プロトコルであるＣＥＣ（Consumer Electronics Control）通信制御を行うためのＣＥＣ送受信装置およびそれを用いた映像音響装置に関するものである。
【背景技術】
【０００２】
近年、シリアル通信を用いて一つの機器から他の機器を操作することが増えている。一例として、ＨＤＭＩ規格では、テレビジョン受像機（ＴＶ）やＤＶＤプレイヤ、ＤＶＤ／ＨＤＤレコーダなどの映像音響装置を相互に制御するＣＥＣが追補に定義されている。ＣＥＣは単線双方向シリアル通信である。
【０００３】
従来のシリアル通信では受信側機器が正常に受信を行った場合に正常受信応答（ＡＣＫ応答）を返し、正常に受信できなかった場合に異常受信応答（NＡＣＫ応答）を送信側機器に返しているものがある。送信側機器が異常受信応答（NＡＣＫ応答）を受信した場合に再送を行う（例えば、特許文献１参照。）。ＣＥＣにおいてもＡＣＫ応答が無い場合に再送を行う。
【特許文献１】特開２００３−４６５９１号公報
【発明の開示】
【発明が解決しようとする課題】
【０００４】
しかしながら、上記従来の構成では、再送が何度も発生した際に通信時間がかかるという課題と、送信側機器に設定されている最大再送回数内にＡＣＫ応答が無い場合にデータの欠落が発生するという課題を有していた。
【０００５】
再送が何度も発生する状況としては、連続でＣＥＣメッセージ受信処理を行う場合が考えられる。連続でＣＥＣメッセージを受信した時に通信間隔が短くなる。通信間隔が短くなると自機の処理が間に合わなくなり、ＣＥＣ受信用バッファが全て使用中となることで自機はＣＥＣメッセージ受信不能状態となる。ＣＥＣメッセージ受信不能状態でＣＥＣメッセージ受信が行われると、ＣＥＣメッセージを受信せずＡＣＫ応答を返さない。そのため、受信できなかったＣＥＣメッセージは再送が行われる。
【０００６】
現状では、機器間の操作を行う命令のみが送受信されており、転送される情報量は少なくメッセージが連続で通信することが少ないので、ＡＣＫ応答を返さない場合、再送で正常に通信が行われている。
【０００７】
しかし、将来、下記のようなことが考えられる。
【０００８】
（１）初期設定を行う際にＴＶとＤＶＤレコーダとでチャンネル情報を取得する場合、それぞれ別々に取得すると取得に時間がかかるので、ＴＶのチャンネル情報を先に取得し、ＤＶＤレコーダは取得済みのＴＶからＣＥＣ経由でチャンネル情報を取得し、時間短縮を図る。
【０００９】
（２）ビデオカメラからＤＶＤレコーダへダビングを行う時、ＨＤＭＩの映像信号や音声信号では録画した日付、時間などの映像・音声データに付随したデータはダビング先へ送ることができないので、録画した日付・時間などの情報をＣＥＣで送信し、ダビング先のデータにも録画した日付、時間などの付随した情報を付加できるようにする。
【００１０】
上記（１）、（２）にてＣＥＣで送信するデータ、チャンネル情報、録画した日付・時間は、現在送受信されている機器間の操作を行う命令と比べ、転送される情報量は大量になる。転送されるデータが大量になると、何度もメッセージを連続で送ることが多くなり、現状で行われているＡＣＫ応答が無い場合の対策である再送では正常に通信が行うことができなくなる。
【００１１】
したがって、本発明の目的は、連続でＣＥＣメッセージを受信した時、通信間隔に自機の処理速度が間に合わなくなりＣＥＣ受信用バッファが全て使用中となり自機はＣＥＣメッセージ受信不能状態となった場合に発生するＡＣＫ応答が無い場合の通信エラーを無くし、それによって再送が何度も発生しないようにすることができるＣＥＣ送受信装置およびそれを用いた映像音響装置を提供することである。
【課題を解決するための手段】
【００１２】
上記課題を解決するため、本発明の第１のＣＥＣ送受信装置は、ＣＥＣメッセージ受信用バッファを有し、ＣＥＣメッセージの送信要求と受信したＣＥＣメッセージの自機が含まれる映像音響装置内のシステム制御ブロックへの通知とを行うＣＥＣ制御ブロックと、ＣＥＣ制御ブロックからの送信要求にしたがってＣＥＣメッセージを生成するメッセージ生成ブロックと、メッセージ生成ブロックで生成されたＣＥＣメッセージを送信するメッセージ送信ブロックと、メッセージ送信ブロックから送信されたＣＥＣメッセージを他の機器へＣＥＣの信号として送り出すとともに、他の機器からＣＥＣの信号を受け取るＣＥＣ信号入出力ブロックと、ＣＥＣ信号入出力ブロックによって受け取られたＣＥＣの信号をＣＥＣメッセージとして受信するメッセージ受信ブロックと、メッセージ受信ブロックにより受信したＣＥＣメッセージを解釈して前記ＣＥＣメッセージ受信用バッファへ送るメッセージデコードブロックと、ＣＥＣメッセージ受信用バッファが全て使用中であるかを監視する自機通信状態監視ブロックとを備えている。
【００１３】
そして、自機通信状態監視ブロックによりＣＥＣメッセージ受信用バッファが全て使用中である自機のＣＥＣメッセージ受信不能状態が検知された時に、ＣＥＣ制御ブロックがメッセージ生成ブロック、メッセージ送信ブロックおよびＣＥＣ信号入出力ブロックを介して特定のＣＥＣメッセージを送出することにより、他の機器からのＣＥＣメッセージ送信を一時停止させる。
【００１４】
上記本発明のＣＥＣ送受信装置においては、自機通信状態監視ブロックにより自機の受信不能状態が検知された時に、ＣＥＣ制御ブロックが他の機器へ特定のＣＥＣメッセージとして、送信一時停止要求メッセージを通知することにより他の機器からの送信を一時停止させることが好ましい。
【００１５】
また、上記本発明のＣＥＣ送受信装置においては、自機通信状態監視ブロックにより自機の受信不能状態を検知した時に、ＣＥＣ制御ブロックが他の機器へ特定のＣＥＣメッセージとして、自機と他の機器が接続されたＣＥＣ通信ライン上の各機器の状態が変化しないメッセージを送信することによりＣＥＣ通信ラインを占有して他の機器のＣＥＣメッセージ送信を一時停止させるようにしてもよい。
【００１６】
本発明の第２のＣＥＣ送受信装置は、ＣＥＣメッセージ受信用バッファを有し、ＣＥＣメッセージの送信要求と受信したＣＥＣメッセージの自機が含まれる映像音響装置内のシステム制御ブロックへの通知とを行うＣＥＣ制御ブロックと、ＣＥＣ制御ブロックからの送信要求にしたがってＣＥＣメッセージを生成するメッセージ生成ブロックと、メッセージ生成ブロックで生成されたＣＥＣメッセージを送信するメッセージ送信ブロックと、メッセージ送信ブロックから送信されたＣＥＣメッセージを他の機器へＣＥＣの信号として送り出すとともに、他の機器からＣＥＣの信号を受け取るＣＥＣ信号入出力ブロックと、ＣＥＣ信号入出力ブロックによって受け取られたＣＥＣの信号をＣＥＣメッセージとして受信するメッセージ受信ブロックと、メッセージ受信ブロックにより受信したＣＥＣメッセージを解釈して前記ＣＥＣメッセージ受信用バッファへ送るメッセージデコードブロックと、自機と他の機器が接続されたＣＥＣ通信ラインの通信状態を監視してＣＥＣ通信ラインの通信の状態の変化を検知し、ＣＥＣ通信開始時とＣＥＣ通信ラインの通信の状態の変化の検知時に、ＣＥＣ制御ブロックに対してＣＥＣメッセージ通信間隔通知メッセージ送信要求を行うＣＥＣ通信ライン監視ブロックと、他の機器より通知された通信間隔を記憶する通信間隔記憶ブロックと、通信間隔記憶ブロックに記憶された通信間隔と自機が使用している通信間隔とを比較する通信間隔比較ブロックと、通信間隔比較ブロックによる比較結果をもとに、長い方の通信間隔をＣＥＣ制御ブロックへ通知する通信間隔通知ブロックを備えている。
【００１７】
そして、ＣＥＣ制御ブロックがＣＥＣ通信ライン監視ブロックからのＣＥＣメッセージ通信間隔通知メッセージ送信要求に応答してメッセージ生成ブロック、メッセージ送信ブロックおよびＣＥＣ信号入出力ブロックを介して他の機器へＣＥＣメッセージ通信間隔通知メッセージを通知することによりＣＥＣ通信ライン上の各機器が、ＣＥＣ通信ライン上で通信間隔が一番長く必要とされる機器の通信間隔に合わせて通信する。
【００１８】
本発明の第１の映像音響装置は、ＣＥＣ送受信装置と、ＣＥＣ送受信装置から出力信号を受け取るシステム制御ブロックとを備えている。
【００１９】
上記のＣＥＣ送受信装置が、ＣＥＣメッセージ受信用バッファを有し、ＣＥＣメッセージの送信要求と受信したＣＥＣメッセージの自機が含まれるシステム制御ブロックへの通知を行うＣＥＣ制御ブロックと、ＣＥＣ制御ブロックからの送信要求にしたがってＣＥＣメッセージを生成するメッセージ生成ブロックと、メッセージ生成ブロックで生成されたＣＥＣメッセージを送信するメッセージ送信ブロックと、メッセージ送信ブロックから送信されたＣＥＣメッセージを他の機器へＣＥＣの信号として送り出すとともに、他の機器からＣＥＣの信号を受け取るＣＥＣ信号入出力ブロックと、ＣＥＣ信号入出力ブロックによって受け取られたＣＥＣの信号をＣＥＣメッセージとして受信するメッセージ受信ブロックと、メッセージ受信ブロックにより受信したＣＥＣメッセージを解釈して前記ＣＥＣメッセージ受信用バッファへ送るメッセージデコードブロックと、ＣＥＣメッセージ受信用バッファが全て使用中であるかを監視する自機通信状態監視ブロックとを備えている。
【００２０】
そして、自機通信状態監視ブロックによりＣＥＣメッセージ受信用バッファが全て使用中である自機のＣＥＣメッセージ受信不能状態が検知された時に、ＣＥＣ制御ブロックがメッセージ生成ブロック、メッセージ送信ブロックおよびＣＥＣ信号入出力ブロックを介して特定のＣＥＣメッセージを送出することにより、他の機器からのＣＥＣメッセージ送信を一時停止させる。
【００２１】
上記本発明の映像音響装置においては、自機通信状態監視ブロックにより自機の受信不能状態が検知された時に、ＣＥＣ制御ブロックが他の機器へ特定のＣＥＣメッセージとして、送信一時停止要求メッセージを通知することにより他の機器からの送信を一時停止させることが好ましい。
【００２２】
また、上記本発明の映像音響装置においては、自機通信状態監視ブロックにより自機の受信不能状態を検知した時に、ＣＥＣ制御ブロックが他の機器へ特定のＣＥＣメッセージとして、自機と他の機器が接続されたＣＥＣ通信ライン上の各機器の状態が変化しないメッセージを送信することによりＣＥＣ通信ラインを占有して他の機器のＣＥＣメッセージ送信を一時停止させるようにしてもよい。
【００２３】
本発明の第２の映像音響装置は、ＣＥＣ送受信装置と、ＣＥＣ送受信装置から出力信号を受け取るシステム制御ブロックとを備えている。
【００２４】
上記のＣＥＣ送受信装置が、ＣＥＣメッセージ受信用バッファを有し、ＣＥＣメッセージの送信要求と受信したＣＥＣメッセージの自機が含まれるシステム制御ブロックへの通知とを行うＣＥＣ制御ブロックと、ＣＥＣ制御ブロックからの送信要求にしたがってＣＥＣメッセージを生成するメッセージ生成ブロックと、メッセージ生成ブロックで生成されたＣＥＣメッセージを送信するメッセージ送信ブロックと、メッセージ送信ブロックから送信されたＣＥＣメッセージを他の機器へＣＥＣの信号として送り出すとともに、他の機器からＣＥＣの信号を受け取るＣＥＣ信号入出力ブロックと、ＣＥＣ信号入出力ブロックによって受け取られたＣＥＣの信号をＣＥＣメッセージとして受信するメッセージ受信ブロックと、メッセージ受信ブロックにより受信したＣＥＣメッセージを解釈して前記ＣＥＣメッセージ受信用バッファへ送るメッセージデコードブロックと、自機と他の機器が接続されたＣＥＣ通信ラインの通信状態を監視してＣＥＣ通信ラインの通信の状態の変化を検知し、ＣＥＣ通信開始時とＣＥＣ通信ラインの通信の状態の変化の検知時とに、ＣＥＣ制御ブロックに対してＣＥＣメッセージ通信間隔通知メッセージ送信要求を行うＣＥＣ通信ライン監視ブロックと、他の機器より通知された通信間隔を記憶する通信間隔記憶ブロックと、通信間隔記憶ブロックに記憶された通信間隔と自機が使用している通信間隔とを比較する通信間隔比較ブロックと、通信間隔比較ブロックによる比較結果をもとに、長い方の通信間隔をＣＥＣ制御ブロックへ通知する通信間隔通知ブロックを備えている。
【００２５】
そして、ＣＥＣ制御ブロックがＣＥＣ通信ライン監視ブロックからのＣＥＣメッセージ通信間隔通知メッセージ送信要求に応答してメッセージ生成ブロック、メッセージ送信ブロックおよびＣＥＣ信号入出力ブロックを介して他の機器へＣＥＣメッセージ通信間隔通知メッセージを通知することによりＣＥＣ通信ライン上の各機器が、ＣＥＣ通信ライン上で通信間隔が一番長く必要とされる機器の通信間隔に合わせて通信する。
【００２６】
本構成によって、連続でＣＥＣメッセージを受信した時、通信間隔に自機の処理速度が間に合わなくなることでＣＥＣメッセージ受信用バッファが全て使用中となりＣＥＣメッセージ受信不能状態となる場合に発生するＡＣＫ応答が無い場合の通信エラーを無くすことができる。
【発明の効果】
【００２７】
本発明のＣＥＣ送受信装置により、ＣＥＣメッセージ受信に当てられるメモリ容量が少ない安価なデバイス、処理速度が遅い安価なデバイスでもＣＥＣで大量のデータをエラー無しに処理することができる。
【発明を実施するための最良の形態】
【００２８】
以下、本発明を実施するための最良の形態について、図面を参照しながら説明する。
【００２９】
（実施の形態１）
図１は、実施の形態１におけるＣＥＣ送受信装置の構成を示すブロック図である。このＣＥＣ送受信装置１００は、ＣＥＣメッセージ受信用バッファ１１０を有し、ＣＥＣメッセージの送信要求と受信したＣＥＣメッセージの自機が含まれる映像音響装置（ＤＶＤレコーダ）内のシステム制御ブロック６０６（図６参照）への通知とを行うＣＥＣ制御ブロック１０１と、ＣＥＣ制御ブロック１０１からの送信要求にしたがってＣＥＣメッセージを生成するメッセージ生成ブロック１０３と、メッセージ生成ブロック１０３で生成されたＣＥＣメッセージを送信するメッセージ送信ブロック１０５と、メッセージ送信ブロック１０５から送信されたＣＥＣメッセージを他の機器へＣＥＣの信号として送り出すとともに、他の機器からＣＥＣの信号を受け取るＣＥＣ信号入出力ブロック１０７と、ＣＥＣ信号入出力ブロック１０７によって受け取られたＣＥＣの信号をＣＥＣメッセージとして受信するメッセージ受信ブロック１０６と、メッセージ受信ブロック１０６により受信したＣＥＣメッセージを解釈して前記ＣＥＣメッセージ受信用バッファへ送るメッセージデコードブロック１０４と、ＣＥＣ受信用バッファ１１０が全て使用中であるかを監視する自機通信状態監視ブロック１０２を有している。符号１０８はシステム制御ブロック６０６（図６参照）との入出力との間の入出力を示し、符号１０９はＨＤＭＩ信号入出力ブロック６０５（図６参照）との間の入出力を示している。
【００３０】
そして、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３に相手機器へのＣＥＣメッセージ送信停止要求を発行する（図９のステップＳ９１、Ｓ９２参照）。メッセージ生成ブロック１０３はＣＥＣメッセージ送信停止要求を実施するためのＣＥＣメッセージを生成し、メッセージ送信ブロック１０５に渡す。メッセージ送信ブロック１０５はＣＥＣメッセージ送信停止を実施するためのＣＥＣメッセージを相手機器に送信するため、ＣＥＣ信号入出力ブロック１０７にＣＥＣメッセージ送信停止要求を実施するためのＣＥＣメッセージを移す。
【００３１】
ここで、ＣＥＣ送受信装置１００の基本的な動作について説明する。
【００３２】
このＣＥＣ送受信装置１００では、ＣＥＣ制御ブロック１０１が、ＣＥＣメッセージ受信用バッファ１１０を有し、ＣＥＣメッセージの送信要求と受信したＣＥＣメッセージの自機が含まれる映像音響装置（ＤＶＤレコーダ）内のシステム制御ブロック６０６（図６参照）への通知とを行う。メッセージ生成ブロック１０３では、ＣＥＣ制御ブロック１０１からの送信要求にしたがってＣＥＣメッセージを生成する。メッセージ送信ブロック１０５では、メッセージ生成ブロック１０３で生成されたＣＥＣメッセージを送信する。ＣＥＣ信号入出力ブロック１０７では、メッセージ送信ブロック１０５から送信されたＣＥＣメッセージを他の機器へＣＥＣの信号として送り出すとともに、他の機器からＣＥＣの信号を受け取る。
【００３３】
メッセージ受信ブロック１０６では、ＣＥＣ信号入出力ブロック１０７によって受け取られたＣＥＣの信号をＣＥＣメッセージとして受信する。メッセージデコードブロック１０４では、メッセージ受信ブロック１０６により受信したＣＥＣメッセージを解釈して前記ＣＥＣメッセージ受信用バッファへ送る。
ＣＥＣ制御ブロック１０１では、メッセージデコードブロック１０４で解釈されたＣＥＣメッセージをＣＥＣメッセージ受信用バッファ１１０に格納し、前記システム制御ブロック６０６（図６参照）へ通知する。
【００３４】
このＣＥＣ送受信装置によれば、連続でＣＥＣメッセージを受信した時、ＣＥＣメッセージ用受信用バッファが全て使用中となりＣＥＣメッセージ受信不能状態となる場合に、相手機器のＣＥＣメッセージ送信を停止させることでＡＣＫ応答が無い場合の通信エラーを無くすことができる。その結果、ＣＥＣメッセージの再送が何度も発生しないようにできる。
【００３５】
上記動作のフローを図３に示す。図３は受信バッファ数：２である機器でメッセージを３つ連続受信する場合の図である。
【００３６】
相手機器がＣＥＣメッセージ３０１を送信すると、このＣＥＣメッセージ３０１を自機が受信する。このとき、受信用バッファ１、２の状態は、図１２（ａ）に示すように、受信用バッファ１にＣＥＣメッセージ３０１が格納され（使用中）、受信用バッファ３０２は開放された状態となる。その後、自機は、相手機器へＣＥＣメッセージ３０１のＡＣＫ応答を返す。
【００３７】
その後、相手機器がＣＥＣメッセージ３０２を送信すると、このＣＥＣメッセージ３０２を自機が受信する。このとき、受信用バッファ１、２の状態は、図１２（ｂ）に示すように、受信用バッファ１にＣＥＣメッセージ３０１が格納され（使用中）、受信用バッファ２にＣＥＣメッセージ３０２が格納された（使用中）状態となる。その後、自機は相手機器へメッセージ３０２のＡＣＫ応答を返す。このとき、受信用バッファ１、２ともに使用中となる。
【００３８】
そこで、他の機器（相手機器）から３つ目のＣＥＣメッセージが送信される前に、自機は、相手機器のＣＥＣメッセージ送信停止を実施するためのＣＥＣメッセージ３０４を相手機器へ送信する。相手機器は、ＣＥＣメッセージ３０４を受信し、これによって相手機器から自機へのＣＥＣメッセージの送信が所定期間（送信停止期間）停止される。送信停止期間中において、相手機器からＣＥＣメッセージ３０４のＡＣＫ応答が自機へ返される。上記の送信停止期間は、受信用バッファが少なくともひとつ開放されるまでに要する時間に設定され、バッファが少なくとも１つ解放されるまでの時間内は他の機器のＣＥＣメッセージ送信が停止させられる。
【００３９】
ＣＥＣメッセージ送信停止時間の決定法について説明する。
【００４０】
自機の受信用バッファが少なくともひとつ開放されるまでに要する時間をあらかじめ計測しておき、自機の受信用バッファが少なくともひとつ開放されるまでに要する時間以上の時間を送信停止時間とする。
【００４１】
送信停止期間中において、自機の受信用バッファが少なくともひとつ開放されるまでに要する時間が経過して、自機内での処理が進むと、自機における受信用バッファ１が図１２（ｃ）に示すように、開放された状態となる。
【００４２】
そして、送信停止時間の経過後に、つまり送信停止が解除された後に相手機器がメッセージ３０３を送信すると、このＣＥＣメッセージ３０３を自機が受信する。このとき、受信用バッファ１、２の状態は図１２（ｄ）に示すように、受信用バッファ１にメッセージ３０３が格納され、受信用バッファ２にメッセージ３０２が格納された状態となる。その後、自機は相手機器へメッセージ３０３のＡＣＫ応答を返す。
【００４３】
（実施の形態２）
この実施の形態２におけるＣＥＣ送受信装置は、基本構成は実施の形態１のＣＥＣ送受信装置の構成と同じであるので、図１を参照しながら、実施の形態１との相違点について説明する。
【００４４】
このＣＥＣ送受信装置は、ＣＥＣ制御ブロック１０１、メッセージ生成ブロック１０３、メッセージ送信ブロック１０５およびＣＥＣ信号入出力ブロック１０７の処理内容が、実施の形態１とは異なり、それ以外は、実施の形態１と同様である。
【００４５】
すなわち、このＣＥＣ送受信装置においては、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３にＣＥＣメッセージ送信停止要求メッセージ生成要求を発行する（図１０のステップＳ１０１、Ｓ１０２参照）。メッセージ生成ブロック１０３はＣＥＣメッセージ送信停止要求メッセージを生成し、メッセージ送信ブロック１０５に渡す。メッセージ送信ブロック１０５はＣＥＣメッセージ送信停止要求メッセージを相手機器に送信するため、ＣＥＣ信号入出力ブロック１０７にＣＥＣメッセージ送信停止要求メッセージを移す。
【００４６】
ここで、実施の形態１と実施の形態２との違いについて説明する。実施の形態１では、ＣＥＣメッセージ送信停止要求を実施するためのＣＥＣメッセージを送信し、相手機器のＣＥＣメッセージ送信を停止させる。ここでの”ＣＥＣメッセージ送信停止要求を実施するためのＣＥＣメッセージ”とは、相手機器のＣＥＣメッセージの送信停止を実現するあらゆるＣＥＣメッセージのことである。相手機器のＣＥＣメッセージ送信停止させる手段として、ＣＥＣメッセージを相手機器へ送信するが、どのようなＣＥＣメッセージを用いてもよいものである。
【００４７】
一方、実施の形態２では、相手機器へ送信するＣＥＣメッセージを“相手機器へ送信停止を要求するＣＥＣメッセージ”とし、相手機器へ送信することで、相手機器のＣＥＣメッセージの送信停止を実現している。
【００４８】
このＣＥＣ送受信装置によれば、連続でＣＥＣメッセージを受信した時、ＣＥＣメッセージ用受信用バッファが全て使用中となりＣＥＣメッセージ受信不能状態となる場合に、相手機器のＣＥＣメッセージ送信を停止させることでＡＣＫ応答が無い場合の通信エラーを無くすことができる。その結果、ＣＥＣメッセージの再送が何度も発生しないようにできる。
【００４９】
上記動作のフローを図４に示す。図４は受信バッファ数：２である機器でメッセージを３つ連続受信する場合の図である。
【００５０】
相手機器がＣＥＣメッセージ３０１を送信すると、このＣＥＣメッセージ３０１を自機が受信する。このとき、受信用バッファ１、２の状態は、図１２（ａ）に示すように、受信用バッファ１にＣＥＣメッセージ３０１が格納され（使用中）、受信用バッファ３０２は開放された状態となる。その後、自機は、相手機器へＣＥＣメッセージ３０１のＡＣＫ応答を返す。
【００５１】
その後、相手機器がＣＥＣメッセージ３０２を送信すると、このＣＥＣメッセージ３０２を自機が受信する。このとき、受信用バッファ１、２の状態は、図１２（ｂ）に示すように、受信用バッファ１にＣＥＣメッセージ３０１が格納され（使用中）、受信用バッファ２にＣＥＣメッセージ３０２が格納された（使用中）状態となる。その後、自機は相手機器へメッセージ３０２のＡＣＫ応答を返す。このとき、受信用バッファ１、２ともに使用中となる。
【００５２】
そこで、他の機器（相手機器）から３つ目のＣＥＣメッセージが送信される前に、自機は、ＣＥＣメッセージ送信停止要求メッセージ４０４を相手機器へ送信する。相手機器は、ＣＥＣメッセージ送信停止要求メッセージ４０４を受信し、これによって相手機器から自機へのＣＥＣメッセージの送信が所定期間（送信停止期間）停止される。送信停止期間中において、相手機器からＣＥＣメッセージ送信停止要求メッセージ４０４のＡＣＫ応答が自機へ返される。上記の送信停止期間は、受信用バッファが少なくともひとつ開放されるまでに要する時間に設定され、バッファが少なくとも１つ解放されるまでの時間内は他の機器のＣＥＣメッセージ送信が停止させられる。
【００５３】
ＣＥＣメッセージ送信停止時間の決定法について説明する。
【００５４】
自機の受信用バッファが少なくともひとつ開放されるまでに要する時間をあらかじめ計測しておき、自機の受信用バッファが少なくともひとつ開放されるまでに要する時間以上の時間を送信停止時間とする。
【００５５】
送信停止期間中において、自機の受信用バッファが少なくともひとつ開放されるまでに要する時間が経過して、自機内での処理が進むと、自機における受信用バッファ１が図１２（ｃ）に示すように、開放された状態となる。
【００５６】
そして、送信停止時間の経過後に、つまり送信停止が解除された後に相手機器がメッセージ３０３を送信すると、このＣＥＣメッセージ３０３を自機が受信する。このとき、受信用バッファ１、２の状態は図１２（ｄ）に示すように、受信用バッファ１にメッセージ３０３が格納され、受信用バッファ２にメッセージ３０２が格納された状態となる。その後、自機は相手機器へメッセージ３０３のＡＣＫ応答を返す。
【００５７】
（実施の形態３）
この実施の形態３におけるＣＥＣ送受信装置は、基本構成は実施の形態１のＣＥＣ送受信装置の構成と同じであるので、図１を参照しながら、実施の形態１との相違点について説明する。
【００５８】
このＣＥＣ送受信装置は、ＣＥＣ制御ブロック１０１、メッセージ生成ブロック１０３、メッセージ送信ブロック１０５およびＣＥＣ信号入出力ブロック１０７の処理内容が、実施の形態１とは異なり、それ以外は、実施の形態１と同様である。
【００５９】
すなわち、このＣＥＣ送受信装置においては、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３に自機とメッセージ送信元の相手機器の状態が変化しないメッセージ生成要求を発行する（図１１のステップＳ１１１、１１２参照）。メッセージ生成ブロック１０３は自機とメッセージ送信元の相手機器の状態が変化しないメッセージを生成し、メッセージ送信ブロック１０５に渡す。メッセージ送信ブロック１０５は自機とメッセージ送信元の相手機器の状態が変化しないメッセージを相手機器に送信するため、ＣＥＣ信号入出力ブロック１０７に自機とメッセージ送信元の相手機器の状態が変化しないメッセージを移す。
【００６０】
実施の形態３では、相手機器へ送信するＣＥＣメッセージを”ＣＥＣ通信ラインを占有するための自機とメッセージ送信元の相手機器の状態が変化しないＣＥＣメッセージ” とし、相手機器へ送信することで、相手機器のＣＥＣメッセージの送信停止を実現している点が実施の形態１、２とは異なる。
【００６１】
このＣＥＣ送受信装置によれば、連続でＣＥＣメッセージを受信した時、ＣＥＣメッセージ用受信用バッファが全て使用中となりＣＥＣメッセージ受信不能状態となる場合に、自機が自機とメッセージ送信元の相手機器の状態が変化しないメッセージを送信し通信ラインを占有する。ＣＥＣが単線双方向シリアル通信であることを利用し、通信ラインを占有して相手機器のＣＥＣメッセージ送信を停止させることでＡＣＫ応答が無い場合の通信エラーを無くすことができる。その結果、ＣＥＣメッセージの再送が何度も発生しないようにできる。
【００６２】
上記動作のフローを図５に示す。図５は受信バッファ数：２である機器でメッセージを３つ連続受信する場合の図である。
【００６３】
相手機器がＣＥＣメッセージ３０１を送信すると、このＣＥＣメッセージ３０１を自機が受信する。このとき、受信用バッファ１、２の状態は、図１２（ａ）に示すように、受信用バッファ１にＣＥＣメッセージ３０１が格納され（使用中）、受信用バッファ３０２は開放された状態となる。その後、自機は、相手機器へＣＥＣメッセージ３０１のＡＣＫ応答を返す。
【００６４】
その後、相手機器がＣＥＣメッセージ３０２を送信すると、このＣＥＣメッセージ３０２を自機が受信する。このとき、受信用バッファ１、２の状態は、図１２（ｂ）に示すように、受信用バッファ１にＣＥＣメッセージ３０１が格納され（使用中）、受信用バッファ２にＣＥＣメッセージ３０２が格納された（使用中）状態となる。その後、自機は相手機器へメッセージ３０２のＡＣＫ応答を返す。このとき、受信用バッファ１、２ともに使用中となる。
【００６５】
そこで、他の機器（相手機器）から３つ目のＣＥＣメッセージが送信される前に、自機は、自機が自機とメッセージ送信元の相手機器の状態が変化しないメッセージ５０４を相手機器へ送信する。相手機器は、自機とメッセージ送信元の相手機器の状態が変化しないメッセージ５０４を受信し、これによって相手機器から自機へのＣＥＣメッセージの送信が所定期間（送信停止期間）停止される。送信停止期間の後において、相手機器から自機とメッセージ送信元の相手機器の状態が変化しないメッセージ５０４のＡＣＫ応答が自機へ返される。上記の送信停止期間は、受信用バッファが少なくともひとつ開放されるまでに要する時間に設定され、バッファが少なくとも１つ解放されるまでの時間内は他の機器のＣＥＣメッセージ送信が停止させられる。
【００６６】
ＣＥＣメッセージ送信停止時間の決定法について説明する。
【００６７】
自機の受信用バッファが少なくともひとつ開放されるまでに要する時間をあらかじめ計測しておき、自機の受信用バッファが少なくともひとつ開放されるまでに要する時間以上の時間を送信停止時間とする。
【００６８】
送信停止期間中において、自機の受信用バッファが少なくともひとつ開放されるまでに要する時間が経過して、自機内での処理が進むと、自機における受信用バッファ１が図１２（ｃ）に示すように、開放された状態となる。
【００６９】
そして、送信停止時間の経過後に、つまり送信停止が解除された後に相手機器がメッセージ３０３を送信すると、このＣＥＣメッセージ３０３を自機が受信する。このとき、受信用バッファ１、２の状態は図１２（ｄ）に示すように、受信用バッファ１にメッセージ３０３が格納され、受信用バッファ２にメッセージ３０２が格納された状態となる。その後、自機は相手機器へメッセージ３０３のＡＣＫ応答を返す。
【００７０】
（実施の形態４）
図２は、実施の形態４におけるＣＥＣ送受信装置の構成を示すブロック図である。このＣＥＣ送受信装置２００は、図１における自機通信状態監視ブロック１０２の代わりに、通信間隔通知ブロック２０１と、通信間隔比較ブロック２０２と、通信間隔記憶ブロック２０３とＣＥＣ通信ライン監視ブロック２０４を有している。その他の構成は、実施の形態１と同じである。
【００７１】
このＣＥＣ送受信装置は、ＣＥＣ通信開始時とＣＥＣ通信ライン監視ブロック２０４によって外部要因（通信ライン上の機器が電源オフ、停電、ＣＥＣ通信ライン上に新たな機器の参入など）による通信の状態の変化をメッセージ受信ブロック１０６内の信号から検知した時に、ＣＥＣ通信ライン監視ブロック２０４は、ＣＥＣ制御ブロック１０１に対してＣＥＣメッセージ通信間隔通知メッセージ送信要求を行う。ＣＥＣ制御ブロック１０１はメッセージ生成ブロック１０３にＣＥＣメッセージ通信間隔通知メッセージ生成要求を行う。メッセージ生成ブロック１０３はＣＥＣメッセージ通信間隔通知メッセージをメッセージ送信ブロック１０５に渡す。メッセージ送信ブロック１０５はＣＥＣメッセージ通信間隔通知メッセージを送信するためにＣＥＣ信号入出力ブロック１０７にＣＥＣメッセージ通信間隔通知メッセージを移す。ＣＥＣ信号入出力ブロック１０７は、ＣＥＣメッセージ通信間隔通知メッセージをＨＤＭＩ信号入出力ブロック８１５（図８参照）を介して通信ライン上の全ての機器に送信する。
【００７２】
ここで、相手機器よりＣＥＣメッセージ通信間隔通知メッセージを受信した場合を以下に説明する。ＣＥＣ信号入出力ブロック１０７がＣＥＣメッセージ通信間隔通知メッセージのＣＥＣ信号を受信すると、メッセージ受信ブロック１０６へ受信したＣＥＣメッセージ通信間隔通知メッセージのＣＥＣ信号を送る。メッセージ受信ブロック１０６は、ＣＥＣメッセージ通信間隔通知メッセージのＣＥＣ信号をＣＥＣメッセージ通信間隔通知メッセージとして認識し、メッセージデコードブロック１０４に送る。メッセージデコードブロック１０４は、ＣＥＣメッセージ通信間隔通知メッセージをデコードし、ＣＥＣメッセージ通信間隔の値を得る。メッセージデコードブロック１０４は、ＣＥＣメッセージ通信間隔の値をＣＥＣ制御ブロック１０１に送る。ＣＥＣ制御ブロック１０１は、通信間隔記憶ブロック２０３にＣＥＣメッセージ通信間隔の値を送る。通信間隔記憶ブロック２０３は、ＣＥＣメッセージ通信間隔通知メッセージによって送られてきたＣＥＣメッセージ通信間隔の値と、自機のデフォルトの通信間隔値または現在使用している通信間隔の値とを通信間隔比較ブロック２０２に送る。通信間隔比較ブロック２０２は、ＣＥＣメッセージ通信間隔通知メッセージによって送られてきた通信間隔の値と、自機のデフォルトの通信間隔値または現在使用している通信間隔の値とを比較し、通信間隔の値が大きい方を通信間隔通知ブロック２０１に通知する。通信間隔通知ブロック２０１は、通知された通信間隔の値をＣＥＣ制御ブロック１０１に通知する。ＣＥＣ制御ブロック１０１は、通信間隔通知ブロック２０１より通知された通信間隔の値で通信を行う。
【００７３】
このような構成により、ＣＥＣ通信ライン上の各機器が、ＣＥＣ通信ライン上で通信間隔が一番長く必要とされる機器の通信間隔に合わせて通信することにより、これによってＡＣＫ応答が無い場合の通信エラーを無くし、通信エラーが無い安定した通信が行える。その結果、ＣＥＣメッセージの再送が何度も発生しないようにできる。
【００７４】
上記動作のフローを図７に示す。図７はＣＥＣ通信開始時と外部要因による通信状態の変化発生時の図である。
【００７５】
ＣＥＣ通信開始時に自機からのＣＥＣメッセージ通信間隔通知メッセージ７０１を相手機器へ送信し、相手機器へ自機の通信間隔を通知する。その結果、相手機器からＣＥＣメッセージ通信間隔通知メッセージ７０１のＡＣＫ応答が自機へ返される。その後、相手機器が、自機がＣＥＣ通信を開始したこと、つまり、自機がＣＥＣ通信ラインに新たに参入したことを検知し、ＣＥＣメッセージ通信間隔通知メッセージ７０２を自機へ送信し、自機へ相手機器の通信間隔を通知する。その結果、自機からＣＥＣメッセージ通信間隔通知メッセージ７０２のＡＣＫ応答が相手機器へ返される。
【００７６】
その結果、自機、および相手機器の双方において通信間隔の長い方の値がそれぞれの通信間隔として使用される。
【００７７】
外部要因による通信状態の変化発生時も上記と同様の処理が行われ、ＣＥＣメッセージ通信間隔が再度通知される。
【００７８】
（実施の形態５）
図６は、実施の形態５における映像音響システムの構成を示すブロック図である。この映像音響システムでは、２台の映像音響装置がＨＤＭＩケーブル６２０を介して相互に接続されている。この実施の形態では、一方の映像音響装置がＤＶＤレコーダ６００であり、他方の映像音響装置がＴＶ６１０である。
【００７９】
ＤＶＤレコーダ６００は、ＣＥＣ送受信装置１００Ａと、チャンネルの選局を行うチューナブロック６０１と、ＤＶＤディスクからデータを読み取るドライブブロック６０２と、ＨＤＭＩ信号を映像・音声にエンコードするエンコードブロック６０４と、ＤＶＤディスクから読み取った映像・音声をＨＤＭＩ信号にデコードするデコードブロック６０３と、ＨＤＭＩ信号を送受信するＨＤＭＩ信号入出力ブロック６０５と、チューナブロック６０１とドライブブロック６０２とデコードブロック６０３とエンコードブロック６０４とＣＥＣ送受信装置１００Ａとを制御するシステム制御ブロック６０６とを備えている。ＣＥＣ送受信装置１００Ａについては、図１に示したＣＥＣ送受信装置１００と同じ構成を有している。このＤＶＤレコーダ６００はチャンネル設定が未設定である。
【００８０】
ＴＶ６１０は、ＣＥＣ送受信装置１００Ｂと、チャンネルを選局するチューナブロック６１１と、画面へ出力を行う再生処理ブロック６１２と、チューナブロック６１１と再生処理ブロック６１２とＣＥＣ送受信装置１００Ｂを制御するシステム制御ブロック６１３と、ＨＤＭＩ信号を送受信するＨＤＭＩ信号入出力ブロック６１５とを備えている。ＣＥＣ送受信装置１００Ｂについては、図１に示したＣＥＣ送受信装置１００と同じ構成を有している。ＴＶ６１０はチャンネル設定が設定済みである。
【００８１】
この映像音響システムでは、上述したように、ＤＶＤレコーダ６００とＴＶ６１０とをＨＤＭＩケーブル６２０で接続し、チャンネル設定がされているＴＶ６１０からＣＥＣを用いてチャンネル設定を取得することによりＤＶＤレコーダ６００のチャンネル設定を行うものである。
【００８２】
ＴＶ６１０のシステム制御ブロック６１３からＣＥＣ送受信装置１００Ｂへチャンネル情報を通知する。チャンネル情報はＣＥＣ送受信装置１００Ｂでチャンネル情報通知メッセージに変換されＨＤＭＩ入出力ブロック６１４へ渡される。チャンネル情報通知メッセージはＨＤＭＩ入出力ブロック６１４からＤＶＤレコーダ６００内のＨＤＭＩ入出力ブロック６０５へ送信される。チャンネル情報通知メッセージはＨＤＭＩ信号入出力ブロック６０５からＣＥＣ送受信装置１００Ａに渡される。チャンネル情報通知コマンドはシステム制御ブロック６０６に渡され、チャンネル情報にデコードされる。取得したチャンネル情報を基にシステム制御ブロック６０６がチューナブロック６０１を操作する。
【００８３】
チャンネル情報は情報量が大きいため、ＴＶ６１０からＤＶＤレコーダ６００に大量のデータがＣＥＣで通信される。大量のデータを通信するため、連続でＣＥＣメッセージの通信が行われる。連続で通信が実行されることにより通信間隔が短くなりＤＶＤレコーダ６００の処理が間に合わなくなる。ＤＶＤレコーダ６００の処理が間に合わなくなることでＣＥＣメッセージ用受信用バッファが全て使用中となりＤＶＤレコーダ６００はＣＥＣメッセージ受信不能状態となる。
【００８４】
ＣＥＣ送受信装置１００Ａにおいて、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３に相手機器へのＣＥＣメッセージ送信停止要求を発行する（図９のステップＳ９１、Ｓ９２参照）。メッセージ生成ブロック１０３はＣＥＣメッセージ送信停止要求を実施するためのＣＥＣメッセージを生成し、メッセージ送信ブロック１０５に渡す。メッセージ送信ブロック１０５はＣＥＣメッセージ送信停止を実施するためのＣＥＣメッセージを相手機器に送信するため、ＣＥＣ信号入出力ブロック１０７にＣＥＣメッセージ送信停止要求を実施するためのＣＥＣメッセージを移す。
【００８５】
この映像音響システムによれば、短い通信間隔でデータ通信が行われた場合において、ＣＥＣメッセージ用受信用バッファが全て使用中となりＣＥＣメッセージ受信不能状態となる時に、ＴＶ６１０のＣＥＣメッセージ送信を一時停止させることで通信エラーが無い安定した通信が行える。その結果、ＣＥＣメッセージの再送が何度も発生しないようにできる。
【００８６】
（実施の形態６）
この実施の形態６における映像音響システムは、基本構成は実施の形態５の映像音響システムの構成と同じであるので、図６を参照しながら、実施の形態５との相違点について説明する。
【００８７】
この実施の形態６でも、実施の形態５と同様に、ＤＶＤレコーダ６００はチャンネル設定が未設定であり、ＴＶ６００はチャンネル設定が設定済みであり、ＤＶＤレコーダ６００とＴＶ６１０とをＨＤＭＩケーブル６２０で接続し、チャンネル設定がされているＴＶ６１０からＣＥＣを用いてチャンネル設定を取得することによりＤＶＤレコーダ６００のチャンネル設定を行うものである。このチャンネル設定も実施の形態５と同じであり、ＤＶＤレコーダ６００の処理が間に合わなくなることでＣＥＣメッセージ用受信用バッファが全て使用中となりＤＶＤレコーダ６００はＣＥＣメッセージ受信不能状態となるのも、実施の形態５と同じである。ＣＥＣ送受信装置１００Ａにおいての処理が、実施の形態５とは異なる。以下にＣＥＣ送受信装置１００Ａにおいての処理を説明する。
【００８８】
すなわち、このＣＥＣ送受信装置１００Ａにおいては、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３に相手機器のＣＥＣメッセージ送信停止要求メッセージ生成要求を発行する（図１０のステップＳ１０１、Ｓ１０２参照）。メッセージ生成ブロック１０３はＣＥＣメッセージ送信停止要求メッセージを生成し、メッセージ送信ブロック１０５に渡す。メッセージ送信ブロック１０５はＣＥＣメッセージ送信停止要求メッセージを相手機器に送信するため、ＣＥＣ信号入出力ブロック１０７にＣＥＣメッセージ送信停止要求メッセージを移す。
【００８９】
この映像音響システムによれば、短い通信間隔でデータ通信が行われた場合において、ＣＥＣメッセージ用受信用バッファが全て使用中となりＣＥＣメッセージ受信不能状態となる時に、ＴＶ６１０のＣＥＣメッセージ送信を一時停止させることで通信エラーが無い安定した通信が行える。その結果、ＣＥＣメッセージの再送が何度も発生しないようにできる。
【００９０】
（実施の形態７）
この実施の形態７における映像音響システムは、基本構成は実施の形態５の映像音響システムの構成と同じであるので、図６を参照しながら、実施の形態５との相違点について説明する。
【００９１】
この実施の形態７でも、実施の形態５と同様に、ＤＶＤレコーダ６００はチャンネル設定が未設定であり、ＴＶ６００はチャンネル設定が設定済みであり、ＤＶＤレコーダ６００とＴＶ６１０とをＨＤＭＩケーブル６２０で接続し、チャンネル設定がされているＴＶ６１０からＣＥＣを用いてチャンネル設定を取得することによりＤＶＤレコーダ６００のチャンネル設定を行うものである。このチャンネル設定も実施の形態５と同じであり、ＤＶＤレコーダ６００の処理が間に合わなくなることでＣＥＣメッセージ用受信用バッファが全て使用中となりＤＶＤレコーダ６００はＣＥＣメッセージ受信不能状態となるのも、実施の形態５と同じである。ＣＥＣ送受信装置１００Ａにおいての処理が、実施の形態５とは異なる。以下にＣＥＣ送受信装置１００Ａにおいての処理を説明する。
【００９２】
すなわち、このＣＥＣ送受信装置１００Ａにおいては、ＣＥＣ制御ブロック１０１からＣＥＣ受信用バッファ１１０が全て使用中による受信不能状態が自機通信状態監視ブロック１０２によって検知された時、自機通信状態監視ブロック１０２はＣＥＣ制御ブロック１０１にＣＥＣ受信用バッファ１１０が全て使用中による受信不能状態を通知する。ＣＥＣ制御ブロック１０１はメッセージ生成ブロック１０３に自機とメッセージ送信元の相手機器の状態が変化しないメッセージ生成要求を発行する（図１１のステップＳ１１１、Ｓ１１２参照）。メッセージ生成ブロック１０３は自機とメッセージ送信元の相手機器の状態が変化しないメッセージを生成し、メッセージ送信ブロック１０５に渡す。メッセージ送信ブロック１０５は自機とメッセージ送信元の相手機器の状態が変化しないメッセージを相手機器に送信するため、ＣＥＣ信号入出力ブロック１０７に自機とメッセージ送信元の相手機器の状態が変化しないメッセージを移す。
【００９３】
この映像音響システムによれば、短い通信間隔でデータ通信が行われた場合において、ＣＥＣメッセージ用受信用バッファが全て使用中となりＣＥＣメッセージ受信不能状態となる時に、ＣＥＣが単線双方向シリアル通信であることを利用し、通信ラインを占有して相手機器のＣＥＣメッセージ送信ＴＶのＣＥＣメッセージ送信を一時停止させることで通信エラーが無い安定した通信が行える。その結果、ＣＥＣメッセージの再送が何度も発生しないようにできる。
【００９４】
（実施の形態８）
図８は、実施の形態８における映像音響システムの構成を示すブロック図である。この映像音響システムでは、２台の映像音響装置がＨＤＭＩケーブル８２０を介して相互に接続されている。この実施の形態では、一方の映像音響装置がＤＶＤレコーダ８００であり、他方の映像音響装置もＤＶＤレコーダ８１０である。
【００９５】
ＤＶＤレコーダ８００は、ＣＥＣ送受信装置２００Ａと、チャンネルの選局を行うチューナブロック８０１と、ＤＶＤディスクからデータを読み取るドライブブロック８０２と、ＨＤＭＩ信号を映像・音声にエンコードするエンコードブロック８０４と、ＤＶＤディスクから読み取った映像・音声をＨＤＭＩ信号にデコードするデコードブロック８０３と、ＨＤＭＩ信号を送受信するＨＤＭＩ信号入出力ブロック８０５と、チューナブロック８０１とドライブブロック８０２とデコードブロック８０３とエンコードブロック８０４とＣＥＣ送受信装置２００Ａとを制御するシステム制御ブロック８０６とを備えている。ＣＥＣ送受信装置２００Ａについては、図２に示したＣＥＣ送受信装置２００と同じ構成を有している。
【００９６】
ＤＶＤレコーダ８１０は、ＣＥＣ送受信装置２００Ｂと、チャンネルの選局を行うチューナブロック８１１と、ＤＶＤディスクからデータを読み取るドライブブロック８１２と、ＨＤＭＩ信号を映像・音声にエンコードするエンコードブロック８１４と、ＤＶＤディスクから読み取った映像・音声をＨＤＭＩ信号にデコードするデコードブロック８１３と、ＨＤＭＩ信号を送受信するＨＤＭＩ信号入出力ブロック８１５と、チューナブロック８１１とドライブブロック８１２とデコードブロック８１３とエンコードブロック８１４とＣＥＣ送受信装置２００Ｂとを制御するシステム制御ブロック８１６とを備えている。ＣＥＣ送受信装置２００Ｂについては、図２に示したＣＥＣ送受信装置２００と同じ構成を有している。
【００９７】
この映像音響システムでは、ＤＶＤレコーダ８００からＤＶＤレコーダ８１０へのダビングを行う。ＨＤＭＩの映像信号や音声信号では録画した日付、時間などの映像・音声データに付随したデータをダビング先へ送ることができないので、ＣＥＣで録画した日付・時間などの情報を送信し、ダビング先のデータにも録画した日付、時間などの付随した情報を付加できるようにする。
【００９８】
ＤＶＤレコーダ８００におけるドライブブロック８０２が映像・音声・映像音声に付随するデータ（録画した番組情報など）をデコードブロック８０３へ送る。デコードブロック８０３で映像・音声・映像音声に付随するデータをＨＤＭＩ信号にデコードし、映像・音声データはＨＤＭＩ入出力ブロック８０５へ送り、映像音声に付随するデータはシステム制御ブロック８０６へ送る。システム制御ブロック８０６は映像音声に付随するデータをＣＥＣ送受信装置２００Ａに通知する。ＣＥＣ送受信装置２００Ａは映像音声に付随するデータの送信メッセージを発行し、ＨＤＭＩ入出力ブロック８０５へ送る。ＨＤＭＩ入出力ブロック８０５が映像音声データと映像・音声に付随するデータの送信メッセージをＨＤＭＩケーブル８２０を通してＤＶＤレコーダ８１０のＨＤＭＩ入出力ブロック８１５に送る。映像・音声データはＨＤＭＩ入出力ブロック８１５からエンコードブロック８１４に送られ、映像音声に付随するデータの送信メッセージはＣＥＣ送受信装置２００Ｂに送る。映像音声に付随するデータの送信メッセージはＣＥＣ送受信装置２００Ｂにて映像音声に付随するデータに変換されシステム制御ブロック８１６に送られる。システム制御ブロック８１６はエンコードブロック８１４へ映像音声に付随するデータを送る。エンコードブロック８１４は映像音声データと映像音声に付随するデータをエンコードしドライブブロック８１２へ送る。
【００９９】
上記の実施の形態において、映像音声に付随するデータは番組のタイトル、録画した番組情報(番組の出演者、録画日時など)、番組の概要情報と多くの種類が考えられ情報量が大きくなるので、ＤＶＤレコーダ８００からＤＶＤレコーダ８１０に大量のデータがＣＥＣで通信される。大量のデータを通信するため、連続でＣＥＣメッセージの通信が行われる。連続で通信が実行されることにより通信間隔が短くなりＤＶＤレコーダ８１０の処理が間に合わなくなくなることで、ＣＥＣ受信用バッファ１１０が全て使用中状態（ＣＥＣメッセージ受信不能状態）でＣＥＣメッセージ受信処理を実行する頻度が上がり、ＡＣＫ応答が返すことができない頻度が上がる。ＡＣＫ応答が返すことができない頻度が上がることでＣＥＣメッセージ再送の頻度も上がり受信までの時間が増加する。その結果、送信側機器に設定されている最大再送回数内にＡＣＫ応答が無い場合にデータが欠落するということが発生する。
【０１００】
上記課題の対策として、この実施の形態の映像音響システムでは、以下のことを行う。
【０１０１】
ＤＶＤレコーダ８１０のＣＥＣ送受信装置２００ＢおよびＤＶＤレコーダ８００のＣＥＣ送受信装置の２００Ａにおいて、実施の形態４（図２参照）で説明した一連の処理を行う。
【０１０２】
すなわち、ＤＶＤレコーダ８１０のＣＥＣ送受信装置２００Ｂは、ＣＥＣ通信開始時とＣＥＣ通信ライン監視ブロック２０４によって外部要因（通信ライン上の機器が電源オフ、停電、ＣＥＣ通信ライン上に新たな機器の参入など）による通信の状態の変化を検知した時に、ＣＥＣ通信ライン監視ブロック２０４は、ＣＥＣ制御ブロック１０１に対してＣＥＣメッセージ通信間隔通知メッセージ送信要求を行う。ＣＥＣ制御ブロック１０１はメッセージ生成ブロック１０３にＣＥＣメッセージ通信間隔通知メッセージ生成要求を行う。メッセージ生成ブロック１０３はＣＥＣメッセージ通信間隔通知メッセージをメッセージ送信ブロック１０５に渡す。メッセージ送信ブロック１０５はＣＥＣメッセージ通信間隔通知メッセージを送信するためにＣＥＣ信号入出力ブロック１０７にＣＥＣメッセージ通信間隔通知メッセージを移す。ＣＥＣ信号入出力ブロック１０７は、ＣＥＣメッセージ通信間隔通知メッセージをＨＤＭＩ信号入出力ブロック８１５（図８参照）を介して通信ライン上の全ての機器に送信する。
【０１０３】
ＤＶＤレコーダ８１０よりＣＥＣメッセージ通信間隔通知メッセージを受信したＤＶＤレコーダ８００の処理動作を以下に記す。ＨＤＭＩ信号入出力ブロック８０５を介して、ＣＥＣ送受信装置２００Ａ内のＣＥＣ信号入出力ブロック１０７がＣＥＣメッセージ通信間隔通知メッセージのＣＥＣ信号を受信すると、メッセージ受信ブロック１０６へ受信したＣＥＣメッセージ通信間隔通知メッセージのＣＥＣ信号を送る。メッセージ受信ブロック１０６は、ＣＥＣメッセージ通信間隔通知メッセージのＣＥＣ信号をＣＥＣメッセージ通信間隔通知メッセージとして認識し、メッセージデコードブロック１０４に送る。メッセージデコードブロック１０４は、ＣＥＣメッセージ通信間隔通知メッセージをデコードし、ＣＥＣメッセージ通信間隔の値を得る。メッセージデコードブロック１０４はＣＥＣメッセージ通信間隔の値をＣＥＣ制御ブロック１０１に送る。ＣＥＣ制御ブロック１０１は通信間隔記憶ブロック２０３にＣＥＣメッセージ通信間隔の値を送る。通信間隔記憶ブロック２０３はＣＥＣメッセージ通信間隔通知メッセージによって送られてきたＣＥＣメッセージ通信間隔の値と、自機のデフォルトの通信間隔値または現在使用している通信間隔の値とを通信間隔比較ブロック２０２に送る。通信間隔比較ブロック２０２は、ＣＥＣメッセージ通信間隔通知メッセージによって送られてきた通信間隔の値と、自機のデフォルトの通信間隔値または現在使用している通信間隔の値とを比較し、通信間隔の値が大きい方を通信間隔通知ブロック２０１に通知する。通信間隔通知ブロック２０１は、通知された通信間隔の値をＣＥＣ制御ブロック１０１に通知する。ＣＥＣ制御ブロック１０１は、通信間隔通知ブロック２０１より通知された通信間隔の値で通信を行う。
【０１０４】
このような構成により、ＣＥＣ通信ライン上の各機器が、ＣＥＣ通信ライン上で通信間隔が一番長く必要とされる機器の通信間隔に合わせて通信することでＡＣＫ応答が無い場合の通信エラーを無くし、通信エラーが無い安定した通信が行える。その結果、ＣＥＣメッセージの再送が何度も発生しないようにできる。
【０１０５】
なお、実施の形態２と６におけるＣＥＣメッセージ送信停止要求メッセージは各ベンダが独自にメッセージを定義できるＣＥＣメッセージ＜Vendor Command＞を用いて定義しても良い。
【０１０６】
また、実施の形態４と８におけるＣＥＣメッセージ通信間隔通知メッセージは各ベンダが独自にメッセージを定義できるＣＥＣメッセージ＜Vendor Command＞を用いて定義しても良い。
【０１０７】
さらに、実施の形態５〜８において、ＴＶとＤＶＤレコーダを用いた実施例を挙げたが、ＣＥＣに対応した全ての機器（ＤＶＤプレイヤ、ＤＶＤレコーダ、ＢＤプレイヤ、ＢＤレコーダ、アンプ、セットトップボックス（ＳＴＢ）など）でも本発明は実施可能である。
【０１０８】
実施の形態５〜８において、２台の映像音響装置をＨＤＭＩケーブルで接続する実施例をあげたが、３台以上の映像音響装置を相互にＨＤＭＩケーブルで接続するという構成でも本発明は実施可能である。
【０１０９】
また、図５の映像音響システムにおいて、ＣＥＣ送受信装置１００Ａ、１００Ｂとして、図１のＣＥＣ送受信装置１００を使用したものについて説明したが、図２のＣＥＣ送受信装置２００を使用することも可能である。
【０１１０】
また、図８の映像音響システムにおいて、ＣＥＣ送受信装置２００Ａ、２００Ｂとして、図２のＣＥＣ送受信装置２００を使用したものについて説明したが、図１のＣＥＣ送受信装置１００を使用することも可能である。
【産業上の利用可能性】
【０１１１】
本発明ＣＥＣ送受信装置によれば、ＣＥＣメッセージ受信に当てられるメモリ容量が少ない、処理速度が遅い安価なデバイスでもＣＥＣで大量のデータを通信エラー無しに処理することができるのでＣＥＣ通信制御として有用である。
【図面の簡単な説明】
【０１１２】
【図１】本発明の実施の形態１〜３におけるＣＥＣ送受信装置の構成を示すブロック図である。
【図２】本発明の実施の形態７におけるＣＥＣ送受信装置の構成を示すブロック図である。
【図３】本発明の実施の形態１における自機と相手機器間のシーケンス図である。
【図４】本発明の実施の形態２における自機と相手機器間のシーケンス図である。
【図５】本発明の実施の形態３における自機と相手機器間のシーケンス図である。
【図６】本発明の実施の形態５〜７におけるＴＶとＤＶＤレコーダの構成を示すブロック図である。
【図７】本発明の実施の形態４における自機と相手機器間のシーケンス図である。
【図８】本発明の実施の形態８における２台のＤＶＤレコーダの構成を示すブロック図である。
【図９】実施の形態５における受信不能状態通知を受け取った時のＣＥＣ制御ブロック１０１の処理を示すフロー図である。
【図１０】実施の形態６における受信不能状態通知を受け取った時のＣＥＣ制御ブロック１０１の処理を示すフロー図である。
【図１１】実施の形態７おける受信不能状態通知を受け取った時のＣＥＣ制御ブロック１０１の処理を示すフロー図である。
【図１２】図３〜図５における（ａ）、（ｂ）、（ｃ）、（ｄ）時点での受信用バッファの状態を示す模式図である。
【符号の説明】
【０１１３】
１００、２００  ＣＥＣ送受信装置
１０１  ＣＥＣ制御ブロック
１０２  自機通信状態監視ブロック
１０３  メッセージ生成ブロック
１０４  メッセージデコードブロック
１０５  メッセージ送信ブロック
１０６  メッセージ受信ブロック
１０７  ＣＥＣ信号入出力ブロック
１０８  システム制御ブロックとの入出力
１０９  ＨＤＭＩ信号入出力ブロックとの入出力
１１０  ＣＥＣ受信用バッファ
２０１  通信間隔通知ブロック
２０２  通信間隔比較ブロック
２０３  通信間隔記憶ブロック
２０４  ＣＥＣ通信ライン監視ブロック
３０１  相手機器から送信された１番目のＣＥＣメッセージ
３０２  相手機器から送信された２番目のＣＥＣメッセージ
３０３  相手機器から送信された３番目のＣＥＣメッセージ
３０４  相手機器からのＣＥＣメッセージ送信停止を実施するためのＣＥＣメッセージ
４０４  ＣＥＣメッセージ送信停止要求メッセージ
５０４  自機とメッセージ送信元の機器の状態が変化しないメッセージ
６００、８００、８１０  ＤＶＤレコーダ
６０１、６１１、８０１、８１１  チューナブロック
６０２、８０２、８１２  ドライブブロック
６０３、８０３、８１３  デコードブロック
６０４、８０４、８１４  エンコードブロック
６０５、８０５、８１５  ＨＤＭＩ信号入出力ブロック
６０６、８０６、８１６  システム制御ブロック
６１０  ＴＶ
６１２  再生処理ブロック
６１３  システム制御ブロック
６１４  ＨＤＭＩ入出力ブロック
６２０、８２０  ＨＤＭＩケーブル
７０１  自機からのＣＥＣメッセージ通信間隔通知メッセージ
７０２  相手機器からのＣＥＣメッセージ通信間隔通知メッセージ
【図１】
2009055319.tif 000003
【図２】
2009055319.tif 000004
【図３】
2009055319.tif 000005
【図４】
2009055319.tif 000006
【図５】
2009055319.tif 000007
【図６】
2009055319.tif 000008
【図７】
2009055319.tif 000009
【図８】
2009055319.tif 000010
【図９】
2009055319.tif 000011
【図１０】
2009055319.tif 000012
【図１１】
2009055319.tif 000013
【図１２】
2009055319.tif 000014